(57)【要約】【課題】中空トルソー本体を高い位置に保持した状態で、スラックス等を着用させることができる電飾トルソーを提供する。【解決手段】半透明プラスチック製でありかつ左右一対の脚上部２を有する中空トルソー本体３を備える。中空トルソー本体３の内部に点状電球を配設する。左右一対の脚上部２がそれぞれの下端６に開口部を有する。一方の開口部に、全体を床面Ｙに立設させる支柱４にて着脱自在に保持される支柱取付部材８が固着される。他方の開口部を、電球交換用開口部とする。中空トルソー本体３の後壁に、電球支持部材を内部突出状に固着する。電球支持部材に点状電球を支持させる。【選択図】  図２
0003118428.tif 000002
【実用新案登録請求の範囲】
【請求項１】
半透明プラスチック製でありかつ左右一対の脚上部（２）を有する中空トルソー本体（３）を備え、該中空トルソー本体（３）の内部に点状電球（１）を配設した電飾トルソーであって、
上記中空トルソー本体（３）が、左右一対の上記脚上部（２）の一方に於て、全体を床面（Ｙ）に立設させる支柱（４）にて着脱自在に保持されていることを特徴とする電飾トルソー。
【請求項２】
半透明プラスチック製でありかつ左右一対の脚上部（２）を有する中空トルソー本体（３）を備え、該中空トルソー本体（３）の内部に点状電球（１）を配設した電飾トルソーであって、
上記中空トルソー本体（３）が、左右一対の上記脚上部（２）の一方に於て、全体を床面（Ｙ）に立設させる支柱（４）にて着脱自在に保持されているとともに、左右一対の上記脚上部（２）の他方に電球交換用開口部（５）を設けたことを特徴とする電飾トルソー。
【請求項３】
半透明プラスチック製でありかつ左右一対の脚上部（２）を有する中空トルソー本体（３）を備え、該中空トルソー本体（３）の内部に点状電球（１）を配設した電飾トルソーであって、
左右一対の上記脚上部（２）がそれぞれの下端（６）に開口部（７）を有し、一方の上記開口部（７）に、全体を床面（Ｙ）に立設させる支柱（４）にて着脱自在に保持される支柱取付部材（８）が固着され、他方の上記開口部（７）を、電球交換用開口部（５）としたことを特徴とする電飾トルソー。
【請求項４】
半透明プラスチック製でありかつ左右一対の脚上部（２）を有する中空トルソー本体（３）を備え、該中空トルソー本体（３）の内部に点状電球（１）を配設した電飾トルソーであって、
上記中空トルソー本体（３）が、左右一対の上記脚上部（２）の一方に於て、全体を床面（Ｙ）に立設させる支柱（４）にて着脱自在に保持されているとともに、左右一対の上記脚上部（２）の他方に電球交換用開口部（５）を設け、
上記中空トルソー本体（３）の後壁（21）に、電球支持部材（22）を内部突出状に固着し、該電球支持部材（22）に点状電球（１）を支持させたことを特徴とする電飾トルソー。
【請求項５】
半透明プラスチック製でありかつ左右一対の脚上部（２）を有する中空トルソー本体（３）を備え、該中空トルソー本体（３）の内部に点状電球（１）を配設した電飾トルソーであって、
左右一対の上記脚上部（２）がそれぞれの下端（６）に開口部（７）を有し、一方の上記開口部（７）に、全体を床面（Ｙ）に立設させる支柱（４）にて着脱自在に保持される支柱取付部材（８）が固着され、他方の上記開口部（７）を、電球交換用開口部（５）とし、
上記支柱取付部材（８）に長尺弯曲部材（23）を上端（24）が左右方向中央部に配設されるように内部突出状に固着し、上記長尺弯曲部材（23）の上端（24）に点状電球（１）を支持させたことを特徴とする電飾トルソー。
【請求項６】
半透明プラスチック製でありかつ左右一対の脚上部（２）を有する中空トルソー本体（３）を備え、該中空トルソー本体（３）の内部に点状電球（１）を配設した電飾トルソーであって、
上記中空トルソー本体（３）が、左右一対の上記脚上部（２）の一方に於て、全体を床面（Ｙ）に立設させる支柱（４）にて着脱自在に保持されているとともに、左右一対の上記脚上部（２）の他方に電球交換用開口部（５）を設け、
上記中空トルソー本体（３）の股壁部（29）に、電球支持部材（22）を内部突出状に固着し、該電球支持部材（22）に点状電球（１）を支持させたことを特徴とする電飾トルソー。
【請求項７】
複数の点状電球（１）を縦方向に並設した請求項１，２，３，４，５又は６記載の電飾トルソー。
【請求項８】
支柱取付部材（８）が、点状電球（１）に電気を供給する電気コード（19）を挿通する電気コード挿通孔（20）を有する請求項３又は５記載の電飾トルソー。
【考案の詳細な説明】
【技術分野】
【０００１】
本考案は、電飾トルソーに関する。
【背景技術】
【０００２】
一般に、軽量であって容易に移動・持ち運びすることができる中空のトルソーが、服飾店等に於て、多用されている（例えば、特許文献１参照）。特に、下着や清涼素材スーツ等のディスプレイには、内部に光源を有する電飾トルソーが、よく用いられる。従来の電飾トルソーは、例えば、図11に示すように、２本の蛍光灯ａを鉛直状に立設支持した台座ｂを備え、２本の蛍光灯ａが右脚ｃと左脚ｄの内部を挿通するように、中空トルソー本体ｅを台座ｂに載置していた。
【０００３】
しかし、電飾トルソーを床面Ｙ0 よりも高い位置に設置する場合、図12に示すように、台座ｂを支柱ｆにて高い位置に保持し、上述の場合と同様に、台座ｂに中空トルソー本体ｅを載置するので、右脚ｃと左脚ｄの下端が連設状となり、腰部から脚下部にかけて着用する二股状の被服（すなわち、スラックス等）を着用させることができないという欠点があった。
【特許文献１】特開２０００−２１０１６７号公報
【考案の開示】
【考案が解決しようとする課題】
【０００４】
解決しようとする課題は、中空トルソー本体を高い位置に保持した状態で、スラックス等を着用させることができない点である。
【課題を解決するための手段】
【０００５】
そこで、本考案に係る電飾トルソーは、半透明プラスチック製でありかつ左右一対の脚上部を有する中空トルソー本体を備え、該中空トルソー本体の内部に点状電球を配設した電飾トルソーであって、上記中空トルソー本体が、左右一対の上記脚上部の一方に於て、全体を床面に立設させる支柱にて着脱自在に保持されているものである。
【０００６】
また、半透明プラスチック製でありかつ左右一対の脚上部を有する中空トルソー本体を備え、該中空トルソー本体の内部に点状電球を配設した電飾トルソーであって、上記中空トルソー本体が、左右一対の上記脚上部の一方に於て、全体を床面に立設させる支柱にて着脱自在に保持されているとともに、左右一対の上記脚上部の他方に電球交換用開口部を設けたものである。
【０００７】
また、半透明プラスチック製でありかつ左右一対の脚上部を有する中空トルソー本体を備え、該中空トルソー本体の内部に点状電球を配設した電飾トルソーであって、左右一対の上記脚上部がそれぞれの下端に開口部を有し、一方の上記開口部に、全体を床面に立設させる支柱にて着脱自在に保持される支柱取付部材が固着され、他方の上記開口部を、電球交換用開口部としたものである。
【０００８】
また、半透明プラスチック製でありかつ左右一対の脚上部を有する中空トルソー本体を備え、該中空トルソー本体の内部に点状電球を配設した電飾トルソーであって、上記中空トルソー本体が、左右一対の上記脚上部の一方に於て、全体を床面に立設させる支柱にて着脱自在に保持されているとともに、左右一対の上記脚上部の他方に電球交換用開口部を設け、上記中空トルソー本体の後壁に、電球支持部材を内部突出状に固着し、該電球支持部材に点状電球を支持させたものである。
【０００９】
また、半透明プラスチック製でありかつ左右一対の脚上部を有する中空トルソー本体を備え、該中空トルソー本体の内部に点状電球を配設した電飾トルソーであって、左右一対の上記脚上部がそれぞれの下端に開口部を有し、一方の上記開口部に、全体を床面に立設させる支柱にて着脱自在に保持される支柱取付部材が固着され、他方の上記開口部を、電球交換用開口部とし、上記支柱取付部材に長尺弯曲部材を上端が左右方向中央部に配設されるように内部突出状に固着し、上記長尺弯曲部材の上端に点状電球を支持させたものである。
【００１０】
また、半透明プラスチック製でありかつ左右一対の脚上部を有する中空トルソー本体を備え、該中空トルソー本体の内部に点状電球を配設した電飾トルソーであって、上記中空トルソー本体が、左右一対の上記脚上部の一方に於て、全体を床面に立設させる支柱にて着脱自在に保持されているとともに、左右一対の上記脚上部の他方に電球交換用開口部を設け、上記中空トルソー本体の股壁部に、電球支持部材を内部突出状に固着し、該電球支持部材に点状電球を支持させたものである。
【００１１】
また、複数の点状電球を縦方向に並設したものである。
また、支柱取付部材が、点状電球に電気を供給する電気コードを挿通する電気コード挿通孔を有するものである。
【考案の効果】
【００１２】
本考案の電飾トルソーによれば、中空トルソー本体を高い位置に保持した状態で、スラックスを着用させることができる。従来の電飾トルソーは下着が主流であったが、本考案では、（下着に限らず）布地の薄さをアピールして清涼感を出す等のディスプレイ効果は高く、スラックスを有する被服の展示に好適である。
【考案を実施するための最良の形態】
【００１３】
図１は、本考案の第１の実施の形態の使用状態を示す。この電飾トルソーは、内部に点状電球１を有する。「点状電球」とは、光源部が、一辺が10ｃｍの立方体内に収納可能な大きさの蛍光球又は白熱の電球をいうと定義する。被服Ａを着用させた際、点状電球１の光が被服Ａを透過して、被服Ａの素材感───例えば薄さによる清涼感───を強調する。
【００１４】
具体的には、図２・図３に示すように、光拡散性を有する半透明プラスチック製（例えば、ポリエチレン製）でありかつ左右一対の脚上部２，２を有する中空トルソー本体３を備え、中空トルソー本体３の内部空間28の中心近傍に点状電球１が配設されている。中空トルソー本体３を、ブロー成形にて容易に製造することができる。点状電球１を、みぞおち26の高さ近傍に設けるのが好ましい。
【００１５】
中空トルソー本体３が、左右一対の脚上部２の一方に於て、全体を床面Ｙに立設させる支柱４にて着脱自在に保持されている。左右一対の脚上部２，２の他方に電球交換用開口部５が設けられている。
【００１６】
具体的には、左右一対の脚上部２，２がそれぞれの下端６に開口部７を有する。そして、一方の開口部７に、全体を床面Ｙに立設させる支柱４にて着脱自在に保持される支柱取付部材８が固着されている。他方の開口部７が、電球交換用開口部５とされている。
【００１７】
図３〜図５に示すように、支柱取付部材８は、倒立凹皿部９と、倒立凹皿部９の上壁10の外面（上面）11に上方突出状に連設される第１円筒部12から成る透明プラスチック製第１取付部材13と、第１取付部材13の倒立凹皿部９の上壁10の内面（下面）14に固着されるとともに第２円筒部15を有する透明プラスチック製第２取付部材16から成る。第１取付部材13と第２取付部材16が透明プラスチック製なので、点状電球１が点灯した時に、第１取付部材13と第２取付部材16の影が目立たず、外観が良い。
【００１８】
第１円筒部12の内周面12ａと、第２円筒部15の内周面15ａは、連続状とされて、支柱４を挿入可能に構成されている。すなわち、内周面12ａと内周面15ａによって、支柱挿入孔17が形成されている。第２円筒部15には、水平方向に進退自在に止めネジ18が取付けられている。支柱挿入孔17に支柱４を挿入して止めネジ18を螺進させることにより、止めネジ18の先端18ａが支柱４を押圧し、支柱４と中空トルソー本体３を相互に固定保持することができる。
支柱取付部材８が、点状電球１に電気を供給する電気コード19を挿通する電気コード挿通孔20を有する。
【００１９】
図３・図６に示すように、中空トルソー本体３の後壁21に、金属製電球支持部材22が内部突出状に固着され、電球支持部材22に点状電球１が支持（固着）されている。
【００２０】
図７は、第２の実施の形態を示す。２個の点状電球１が縦方向に並設されている。ブラジャーとショーツ（図示省略）を着用させる場合、上側の点状電球１をみぞおち26の高さ付近に、下側の点状電球をおへそ27の高さ付近に配設すると、ブラジャーとショーツが効果的にライトアップされるので、好ましい。その他の構成は、第１の実施の形態と同様である。
【００２１】
図８は、第３の実施の形態を示す。支柱取付部材８に長尺弯曲部材23がその上端24が左右方向中央部に配設されるように内部突出状に固着されている。支柱取付部材８の下端25は、中空トルソー本体３の左右方向中心から幅寸法εだけ偏心している。長尺弯曲部材23の上端24に点状電球１が支持されている。その他の構成は、第１の実施の形態と同様である。
【００２２】
図９・図10は、第４の実施の形態を示す。中空トルソー本体３の股壁部29に、電球支持部材22が内部突出状に固着され、電球支持部材22に点状電球１が支持されている。その他の構成は、第１の実施の形態と同様である。
【００２３】
本考案は、設計変更自在であって、例えば、点状電球１の個数は、３個以上であっても良い。また、点状電球１の形状は、図示したものに限定されない。また、電球支持部材22の構造は、図示したものに限定されない。また、第１取付部材13及び第２取付部材16は、半透明プラスチックから成るも良い。また、電球交換用開口部５に電気コード19を挿通させるも良い。
【００２４】
以上のように、本考案は、半透明プラスチック製でありかつ左右一対の脚上部２を有する中空トルソー本体３を備え、中空トルソー本体３の内部に点状電球１を配設した電飾トルソーであって、中空トルソー本体３が、左右一対の脚上部２の一方に於て、全体を床面Ｙに立設させる支柱４にて着脱自在に保持されているので、中空トルソー本体３を高い位置に保持した状態で、スラックス等を着用させることができる。
【００２５】
また、半透明プラスチック製でありかつ左右一対の脚上部２を有する中空トルソー本体３を備え、中空トルソー本体３の内部に点状電球１を配設した電飾トルソーであって、中空トルソー本体３が、左右一対の脚上部２の一方に於て、全体を床面Ｙに立設させる支柱４にて着脱自在に保持されているとともに、左右一対の脚上部２の他方に電球交換用開口部５を設けたので、中空トルソー本体３を高い位置に保持した状態で、スラックス等を着用させることができる。また、電球交換用開口部５に手を挿入して、容易に点状電球１を交換することができる。
【００２６】
また、半透明プラスチック製でありかつ左右一対の脚上部２を有する中空トルソー本体３を備え、中空トルソー本体３の内部に点状電球１を配設した電飾トルソーであって、左右一対の脚上部２がそれぞれの下端６に開口部７を有し、一方の開口部７に、全体を床面Ｙに立設させる支柱４にて着脱自在に保持される支柱取付部材８が固着され、他方の開口部７を、電球交換用開口部５としたので、中空トルソー本体３を高い位置に保持した状態で、スラックス等を着用させることができる。また、電球交換用開口部５に手を挿入して、容易に点状電球１を交換することができる。また、支柱取付部材８によって、中空トルソー本体３を支柱４に、より確実に保持させることができる。
【００２７】
また、半透明プラスチック製でありかつ左右一対の脚上部２を有する中空トルソー本体３を備え、中空トルソー本体３の内部に点状電球１を配設した電飾トルソーであって、中空トルソー本体３が、左右一対の脚上部２の一方に於て、全体を床面Ｙに立設させる支柱４にて着脱自在に保持されているとともに、左右一対の脚上部２の他方に電球交換用開口部５を設け、中空トルソー本体３の後壁21に、電球支持部材22を内部突出状に固着し、電球支持部材22に点状電球１を支持させたので、中空トルソー本体３を高い位置に保持した状態で、スラックス等を着用させることができる。また、電球交換用開口部５に手を挿入して、容易に点状電球１を交換することができる。さらに、正面視及び側面視に於て電球支持部材22が目障りとなるのを防止することができる。
【００２８】
また、半透明プラスチック製でありかつ左右一対の脚上部２を有する中空トルソー本体３を備え、中空トルソー本体３の内部に点状電球１を配設した電飾トルソーであって、左右一対の脚上部２がそれぞれの下端６に開口部７を有し、一方の開口部７に、全体を床面Ｙに立設させる支柱４にて着脱自在に保持される支柱取付部材８が固着され、他方の開口部７を、電球交換用開口部５とし、支柱取付部材８に長尺弯曲部材23を上端24が左右方向中央部に配設されるように内部突出状に固着し、長尺弯曲部材23の上端24に点状電球１を支持させたので、中空トルソー本体３を高い位置に保持した状態で、スラックス等を着用させることができる。また、電球交換用開口部５に手を挿入して、容易に点状電球１を交換することができる。また、支柱取付部材８によって、中空トルソー本体３を支柱４に、より確実に保持させることができる。さらに、トルソー本体３の後壁21に何も取付けず、なだらかな曲面のみの美しい状態とすることできる。
【００２９】
また、半透明プラスチック製でありかつ左右一対の脚上部２を有する中空トルソー本体３を備え、中空トルソー本体３の内部に点状電球１を配設した電飾トルソーであって、中空トルソー本体３が、左右一対の脚上部２の一方に於て、全体を床面Ｙに立設させる支柱４にて着脱自在に保持されているとともに、左右一対の脚上部２の他方に電球交換用開口部５を設け、中空トルソー本体３の股壁部29に、電球支持部材22を内部突出状に固着し、電球支持部材22に点状電球１を支持させたので、中空トルソー本体３を高い位置に保持した状態で、スラックス等を着用させることができる。また、電球交換用開口部５に手を挿入して、容易に点状電球１を交換することができる。さらに、正面視、側面視、及び、背面視に於て電球支持部材22が目障りとなるのを防止することができる。特に、図６の場合には、背面視に於て、背壁部（後壁21）に支持部材22の影が写る（見える）という欠点があるが、この欠点がなくなって、電飾トルソーとして好ましい。
【００３０】
また、複数の点状電球１を縦方向に並設したので、点状電球１が１個のみの場合と比較して、トルソー本体３をより明るく照らすことができる。
【００３１】
また、支柱取付部材８が、点状電球１に電気を供給する電気コード19を挿通する電気コード挿通孔20を有するので、電気コード19が必要以上に揺れるのを防止することができる。
【図面の簡単な説明】
【００３２】
【図１】本考案の第１の実施の形態の使用状態を示す正面図である。
【図２】正面図である。
【図３】正面断面図である。
【図４】要部拡大断面正面図である。
【図５】要部拡大底面図である。
【図６】断面側面図である。
【図７】第２の実施の形態を示す断面側面図である。
【図８】第３の実施の形態を示す断面正面図である。
【図９】第４の実施の形態を示す断面側面図である。
【図１０】電球支持部材を示す斜視図である。
【図１１】従来例を示す説明図である。
【図１２】従来例を示す斜視図である。
【符号の説明】
【００３３】
１  点状電球
２  脚上部
３  中空トルソー本体
４  支柱
５  電球交換用開口部
６  下端
７  開口部
８  支柱取付部材
19  電気コード
20  電気コード挿通孔
21  後壁
22  電球支持部材
23  長尺弯曲部材
24  上端
29  股壁部
Ｙ  床面
【図１】
0003118428.tif 000003
【図２】
0003118428.tif 000004
【図３】
0003118428.tif 000005
【図４】
0003118428.tif 000006
【図５】
0003118428.tif 000007
【図６】
0003118428.tif 000008
【図７】
0003118428.tif 000009
【図８】
0003118428.tif 000010
【図９】
0003118428.tif 000011
【図１０】
0003118428.tif 000012
【図１１】
0003118428.tif 000013
【図１２】
0003118428.tif 000014